(57)【要約】【課題】  テンプレート画像に画像、文字列を合成する際の画像編集作業を効率的に行なうことができる。【解決手段】  受付装置は、メディアから商品画像を格納する画像ファイル及び各商品を説明する文字列画像を格納する情報ファイルを取り込む画像データ取込部１０と、画像ファイルに格納されている商品画像データ及び画像ファイルのファイル名を特定するファイル名情報を記憶する画像データ記憶部１７１と、情報ファイルに格納されている各画像ファイルのファイル番号情報、各画像ファイルのファイル名を特定するファイル名情報、及び商品名等、各商品の属性に関する文字列データを商品毎に対応付けて記憶する文字列データ記憶部１７２と、テンプレート画像の複数の画像合成領域及び関連付けされた文字列合成領域に、同一ファイル名で対応付けられた商品画像及び文字列をファイル番号の順番で合成する画像合成部１５６とを備える。【選択図】      図２
2006020077.tif 000002
【特許請求の範囲】
【請求項１】
互いに関連付けされた画像合成領域と文字列合成領域とを１つ又は複数有するテンプレート画像に複数種類の商品画像及び各商品を説明する文字列画像を合成する画像編集装置であって、
外部から１つ又は複数の商品画像データ及び各商品を説明する文字列データを受け付ける受付手段と、
受け付けた商品画像データと文字列データとを商品毎に関連付けて記憶する記憶手段と、
前記テンプレート画像の画像合成領域及び関連付けされた文字列合成領域のそれぞれに、前記記憶手段に記憶されている商品画像データ及び該商品画像データに関連付けされている文字列データを商品毎に対応付ける設定手段と、
前記テンプレート画像の前記画像合成領域及び関連付けされた文字列合成領域に、対応付けされた商品画像及び文字列画像をそれぞれ重ねて画像の合成を行う画像合成手段とを備えたことを特徴とする画像編集装置。
【請求項２】
前記受付手段は、外部記憶媒体から商品画像データ及び文字列データを取り込むデータ入力手段を備えてなることを特徴とする請求項１記載の画像編集装置。
【請求項３】
１つの文字列合成領域は複数のサブ文字列合成領域から構成され、前記記憶手段は前記文字列データを該商品の属性情報毎に前記各サブ文字列合成領域に関連付けて記憶するものであることを特徴とする請求項１又は２に記載の画像編集装置。
【請求項４】
前記テンプレート画像には各画像合成領域を特定するべく連番が付されてなり、
前記設定手段は、前記記憶手段に記憶されている商品画像データに、前記画像合成領域の番号に対応させて合成順序情報を入力する入力手段であることを特徴とする請求項１〜３のいずれかに記載の画像編集装置。
【請求項５】
前記テンプレート画像には各画像合成領域を特定するべく連番が付されてなり、
前記記憶手段は、前記商品画像データを順番に記憶するものであり、前記設定手段は、前記記憶手段の商品画像データを記憶している順番と画像合成領域の順番とを対応付けるものであることを特徴とする請求項１〜３のいずれかに記載の画像編集装置。
【請求項６】
複数種類のテンプレート画像のテンプレート画像データを記憶するテンプレート記憶手段と、複数種類のテンプレート画像から１つのテンプレート画像を選択するテンプレート画像選択手段とを備えることを特徴とする請求項１〜５のいずれかに記載の画像編集装置。
【請求項７】
請求項１〜６のいずれかに記載の画像編集装置と、前記画像合成手段で合成された画像を所定のプリント紙にプリントするプリンタとを備えた写真処理装置。
【請求項８】
プリント部数を設定する部数指示手段を備え、前記プリンタは、プリント部数毎にプリント紙を仕分けして出力するソータを備えてなることを特徴とする請求項７記載の写真処理装置。
【発明の詳細な説明】
【技術分野】
【０００１】
本発明は、互いに関連付けされた画像合成領域と文字列合成領域とを複数有するテンプレート画像に複数種類の商品画像及び各商品を説明する文字列画像を合成する画像編集装置、及び画像編集装置によって合成された合成画像のプリント出力を行う写真処理装置に関する。
【背景技術】
【０００２】
年賀状や暑中見舞い等のハガキ、カレンダー、名刺等に写真等のデジタル画像をプリントする際に、画像のプリント位置、サイズ、輪郭形状が予め設定された画像合成領域を有する電子的なテンプレート画像に前記デジタル画像の合成処理を行う、パソコンにインストール可能なソフトウェアが知られている。
【発明の開示】
【発明が解決しようとする課題】
【０００３】
この種のソフトウェアでは例えば飲食店等の商品写真付きメニューの作成も可能である。すなわち、テンプレート画像の画像合成領域にディジタルカメラで撮影した商品の画像を重ね合わすことによってメニュー用の合成画像が作成できる。しかしながら作業者はメニュー用の合成画像を作成するにあたり、各商品の画像に対応する商品情報を文字列合成領域に一つ一つ入力する必要があるため、作業効率が悪かった。また、メニュー作成のための画像編集作業が煩雑であるから、ラボ店においてもこの種のメニュー作成サービスは行なわれていない。
【０００４】
本発明は上記課題に鑑みてなされたもので、テンプレート画像に画像、文字列を合成する際の画像編集作業を効率的に行なうことができる画像編集装置及び写真処理装置を提供することを目的とする。
【課題を解決するための手段】
【０００５】
請求項１に係る画像編集装置は、互いに関連付けされた画像合成領域と文字列合成領域とを１つ又は複数有するテンプレート画像に複数種類の商品画像及び各商品を説明する文字列画像を合成する画像編集装置であって、外部から１つ又は複数の商品画像データ及び各商品を説明する文字列データを受け付ける受付手段と、受け付けた商品画像データと文字列データとを商品毎に関連付けて記憶する記憶手段と、前記テンプレート画像の画像合成領域及び関連付けされた文字列合成領域のそれぞれに、前記記憶手段に記憶されている商品画像データ及び該商品画像データに関連付けされている文字列データを商品毎に対応付ける設定手段と、前記テンプレート画像の前記画像合成領域及び関連付けされた文字列合成領域に、対応付けされた商品画像及び文字列画像をそれぞれ重ねて画像の合成を行う画像合成手段とを備えたことを特徴とするものである。
【０００６】
上記構成によれば、外部から１つ又は複数の商品画像データ及び各商品を説明する文字列データが受付手段によって受け付けられ、受け付けられた商品画像データと文字列データとが商品毎に関連付けられて記憶手段に記憶される。次いで、テンプレート画像の画像合成領域及び関連付けされた文字列合成領域のそれぞれに、記憶手段に記憶されている商品画像データ及び該商品画像データに関連付けされている文字列データが設定手段によって商品ごとに対応付けられ、テンプレート画像の画像合成領域及び関連付けされた文字列合成領域に、画像合成手段によって対応付けされた商品画像及び文字列画像の画像合成が行なわれる。従って、商品画像データに対応する文字列データの入力等の煩雑な操作が不要となり、テンプレート画像の画像合成領域及び文字列合成領域に商品画像及び文字列画像を対応させて合成する際の画像編集作業が効率良く行なわれる。
【０００７】
請求項２に係る画像編集装置は、請求項１記載の画像編集装置において、前記受付手段は、外部記憶媒体から商品画像データ及び文字列データを取り込むデータ入力手段を備えてなることを特徴とする。
【０００８】
上記構成によれば、データ入力手段によって外部記憶媒体から商品画像データ及び文字列データが取り込まれるため、例えば、画像編集装置が設置された写真店では、メニュー作成等を依頼する注文者から受け取った商品画像データ及び文字列データが記憶されている外部記憶媒体を用いて容易にメニュー用の合成画像が作成される。
【０００９】
請求項３に係る画像編集装置は、請求項１又は２に記載の画像編集装置において、１つの文字列合成領域は複数のサブ文字列合成領域から構成され、前記記憶手段は前記文字列データを該商品の属性情報毎に前記各サブ文字列合成領域に関連付けて記憶するものであることを特徴とする。
【００１０】
上記構成によれば、文字列データが商品の属性情報毎に各サブ文字列合成領域に関連付けて記憶手段に記憶されているため、文字列データが商品の属性情報毎に関連付けられたサブ文字列合成領域に合成される。従って、各サブ文字列合成領域へ商品の属性情報毎に文字列データを入力する作業が不要となり、作業性が向上する。
【００１１】
請求項４に係る画像編集装置は、請求項１〜３のいずれかに記載の画像編集装置において、前記テンプレート画像には各画像合成領域を特定するべく連番が付されてなり、前記設定手段は、前記記憶手段に記憶されている商品画像データに、前記画像合成領域の番号に対応させて合成順序情報を入力する入力手段であることを特徴とするものである。
【００１２】
上記構成によれば、入力手段によって、記憶手段に記憶されている商品画像データに、画像合成領域の番号に対応させて合成順序情報が入力されると、入力された合成順序情報に対応する番号の画像合成領域及び関連付けされた文字列合成領域に対応付けられた商品画像及び文字列画像の画像合成が行なわれる。従って、商品画像及び文字列画像のテンプレート画像への合成位置の設定を簡単な操作で行なうことができ、作業効率の向上が図られる。
【００１３】
請求項５に係る画像編集装置は、請求項１〜３のいずれかに記載の画像編集装置において、前記テンプレート画像には各画像合成領域を特定するべく連番が付されてなり、前記記憶手段は、前記商品画像データを順番に記憶するものであり、前記設定手段は、前記記憶手段の商品画像データを記憶している順番と画像合成領域の順番とを対応付けるものであることを特徴とするものである。
【００１４】
上記構成によれば、設定手段によって、記憶手段の各商品画像データを記憶している順番と画像合成領域の順番とが対応付けられ、画像合成領域及び関連付けされた文字列合成領域に対応付けられた商品画像及び文字列画像の画像合成が行なわれる。従って、商品画像及び文字列画像のテンプレート画像への合成位置の設定操作が不要となり、より一層作業効率の向上が図られる。
【００１５】
請求項６に係る画像編集装置は、請求項１〜５のいずれかに記載の画像編集装置において、複数種類のテンプレート画像のテンプレート画像データを記憶するテンプレート記憶手段と、複数種類のテンプレート画像から１つのテンプレート画像を選択するテンプレート画像選択手段とを備えたことを特徴とするものである。
【００１６】
テンプレート画像選択手段によってテンプレート記憶手段に記憶される複数種類のテンプレート画像から１つのテンプレート画像が選択されると、画像合成手段によって、選択されたテンプレート画像に対する画像合成が行なわれるため、注文者の要望に応じた様々なタイプの合成画像が得られる。
【００１７】
請求項７に係る写真処理装置は、請求項１〜６のいずれかに記載の画像編集装置と、前記画像合成手段で合成された画像を所定のプリント紙にプリントするプリンタとを備えたことを特徴とするものである。
【００１８】
プリンタによって、画像合成手段によって合成された合成画像データが所定のプリント紙にプリント処理される。
【００１９】
請求項８に係る写真処理装置は、請求項７記載の写真処理装置において、プリント部数を設定する部数指示手段を備え、前記プリンタは、プリント部数毎にプリント紙を仕分けして出力するソータを備えてなることを特徴とするものである。
【００２０】
合成画像データがプリントされたプリント紙は、ソータによってプリント部数毎に仕分けされて出力されるため、仕分け作業が不要となり作業効率が向上する。
【発明の効果】
【００２１】
請求項１に係る画像編集装置によれば、テンプレート画像の画像合成領域及び文字列合成領域に商品画像及び文字列画像を対応させて合成する際の画像編集作業を効率的に行なうことができ、作業効率の向上を図ることができる。
【００２２】
請求項２に係る画像編集装置によれば、外部記憶媒体を用いて容易にメニュー用の合成画像を作成することができ、作業効率の向上を図ることができる。
【００２３】
請求項３に係る画像編集装置によれば、各サブ文字列合成領域毎に設定された商品の属性情報に対応する文字列データを自動的に合成することができ、画像編集作業のより一層の効率化を図ることができる。
【００２４】
請求項４に係る画像編集装置によれば、商品画像及び文字列画像のテンプレート画像への合成位置の設定を簡単な操作で行なうことができ、画像編集作業のより一層の効率化を図ることができる。
【００２５】
請求項５に係る画像編集装置によれば、商品画像及び文字列画像のテンプレート画像への合成位置の設定操作が不要となり、画像編集作業のより一層の効率化を図ることができる。
【００２６】
請求項６に係る画像編集装置によれば、注文者の要望に応じた様々なタイプの合成画像を生成することができる。
【００２７】
請求項７に係る画像編集装置によれば、商品画像及び文字列をテンプレート画像へ合成した合成画像のプリントを得ることができる。
【００２８】
請求項８に係る画像編集装置によれば、合成画像のプリントをプリント部数毎に仕分けする作業が不要となり、作業効率を向上させることができる。
【発明を実施するための最良の形態】
【００２９】
本発明の写真処理装置は、注文時に注文者から受け付けたメディアからディジタルカメラ等で撮影された飲食物等の商品画像データを格納する画像ファイル及び各商品の商品名、価格等の文字列データを格納する情報ファイルを読み取り、メニュー用の合成画像を作成するものである。
【００３０】
図１は本発明に係る写真処理装置の外観斜視図の一例を示すものである。写真処理装置は、受付装置１と、デジタルプリンタ２とを備える。受付装置１（画像編集装置に相当する）は、複数種類のメディア（記録媒体）が挿入、取り出し可能に構成され、各メディアに格納される画像データの読込を行う画像データ取込部１０（受付手段に相当する）と、現像処理後のフィルムに光を当てて、透過光をＣＣＤ（電荷結合素子）などの撮像素子で受光することによってフィルムのコマ毎の画像データを得るフィルムスキャナ１１と、読み込んだ画像やプリント処理を行う際の各種指示を入力するための操作画面などを表示するためのモニタ１２と、所定の画像処理やプリント処理の指示を入力するためのキーボード、マウス等の操作部１３（入力手段、テンプレート画像選択手段に相当する）とを備える。画像データ取込部１０は、例えばＣＤ−Ｒ／ＲＷ（CD  recordable／rewritable），ＤＶＤ(digital versatile disk)等のディスク状記録媒体に格納された画像データを読み込む読込部１０ａ、ディジタルカメラで撮影された画像データを格納するスマートメディア（登録商標）等の小型メモリーカードに格納された画像データを読み込む読込部１０ｂ、及びＦＤ（フロッピー（登録商標）ディスク）に格納された画像データを読み込む読込部１０ｃを備える。
【００３１】
受付装置１は、操作部１３を介してプリントサイズ，プリント部数等を含む注文情報を１オーダ単位で受け付けると共に、フィルムスキャナ１１によってフィルムから読み取られた画像データまたは画像データ取込部１０により各種メディアから読み出された画像データを記憶部に記憶し、必要に応じてデジタルプリンタ２に対して送信するものである。
【００３２】
デジタルプリンタ２（プリント装置に相当する）は、それぞれ幅等の異なる複数種類（例えば２種類）の長尺印画紙を巻回収納したマガジン２１，２２と、該マガジン２１または２２から引き出した印画紙を所定サイズに切断し、切断された印画紙片上に受付装置１から送信された画像（画像データ）を露光する露光部２３と、露光された印画紙片を現像、漂白、定着及び安定化処理する現像処理部２４と、図１の右側面側であって現像された印画紙片を乾燥する乾燥部２５と、乾燥された印画紙片をオーダ単位に仕分けて排出するソータ２６等で構成されている。
【００３３】
ソータ２６は、乾燥部２５上部の排出口２５１に対向して設けられた移載部２６１及びその下流の載置部２６２を備える。移載部２６１は、ベルトコンベアを有し、このベルトコンベアは排出口２５１から排出される印画紙をその都度図略のベルト駆動部（モータ等）により載置部２６２に向けて移送するものである。載置部２６２は、鉛直面上でチェーン駆動により循環される複数のトレイを有する循環式トレイで、移載部２６１から送られてきた印画紙片が最上段に位置するトレイ上に積載される高さに設定されている。載置部２６２は、最上段の位置のトレイ上に１オーダー分の印画紙が積載される毎に図略のトレイ駆動部により、トレイを下方向に１段ずつ移動する。その結果、載置部２６２の各トレイにオーダ単位に仕分けされた印画紙片の束がストックされる。
【００３４】
図２は受付装置１の構成の一例を示すブロック図である。データ処理部１５は、受付装置１全体の動作を制御するものであり、図１に示す画像データ取込部１０、フィルムスキャナ１１、モニタ１２、及び操作部１３が接続されている。また、データ処理部１５には、通信部１４が接続されている。通信部１４は、画像データ及びプリント処理を制御するための制御データをデジタルプリンタ２に出力するものである。データ処理部１５は、ＣＰＵ（Central Processing Unit）で構成され、写真処理装置の各種動作を制御するプログラム、各種画像を構成する画面データ、各種テンプレート画像に関するデータ等を予め記憶するＲＯＭ（Read Only Memory）１６、処理途中のデータを一時的に格納するＲＡＭ（Random Access Memory）１７と接続されている。
【００３５】
ＲＯＭ１６は、複数種類のテンプレート画像のテンプレート画像データを記憶するテンプレート画像記憶部１６１を備える。各テンプレート画像には互いに関連付けされた画像合成領域と文字列合成領域とが複数形成されており、本実施形態では、文字列合成領域は、複数のサブ文字列合成領域から構成される。テンプレート画像の各画像合成領域には、各画像合成領域を特定する情報が例えば「１，２，３・・・」というように連続番号（連番）で付されている。また、テンプレート画像記憶部１６１は、テンプレート画像に設けられた複数の画像合成領域に関する情報、例えば各テンプレート画像に形成された画像合成領域及びサブ文字列合成領域の位置、サイズ、輪郭形状等をそれぞれ規定するための位置情報、サイズ情報、形状情報を含む合成領域情報、各画像合成領域に付された番号を特定する合成領域番号情報を含むテンプレート情報を記憶するものである。
【００３６】
ＲＡＭ１７（記憶手段に相当する）は、画像データ取込部１０によってメディアから取り込まれた商品画像データを格納する画像ファイルを記憶する画像データ記憶部１７１と、画像データ取込部１０によってメディアから取り込まれた各商品を説明する文字列データを格納する情報ファイルを記憶する文字列データ記憶部１７２と、テンプレート画像に商品画像及び文字列画像が合成された合成画像、テンプレート画像及び合成画像の編集処理が行なわれた場合、編集後の合成画像及びテンプレート画像を記憶する編集画像記憶部１７３とを備える。画像ファイルには、商品画像データ、画像ファイルのファイル名を特定するファイル名情報及び商品画像データのサイズ等の画像特性情報が商品毎に対応付けられて格納されている。情報ファイルは、所定のファイル形式、例えばＣＳＶ（comma-separated   value）ファイル形式のデータであり、「１，２，３・・・」のような連続番号を用いたファイル番号情報、各画像ファイルのファイル名を特定するファイル名情報、及び商品名，価格等の各商品の属性に関する文字列データが商品毎に対応付けられて格納されている。
【００３７】
データ処理部１５は、モード設定部１５０、受付処理部１５１、画像表示部１５２、画像選択部１５３、属性設定部１５４、画像加工部１５５、画像合成部１５６及びプリント制御部１５７を備える。モード設定部１５０は、メニュー、はがき、カレンダー等予め準備されている各種作成モードの中から所望のモードが操作部１３によって選択された場合に、選択されたモードを設定する（当該モードを実行するソフトウェアをＲＡＭ１７に読出す）ものである。
【００３８】
受付処理部１５１は、操作部１３を介して入力されるプリント処理に関する各種指示に対する受付処理を行うものであり、例えば、メディアから画像データを取り込ませる指示が操作部１３を介して入力され、画像データ取込部１０によってメディアから取り込まれた画像ファイル及び情報ファイルが取り込まれた場合、取り込まれた画像ファイル及び情報ファイルを画像データ記憶部１７１及び文字列データ記憶部１７２それぞれに記憶するものである。また、受付処理部１５１は、操作部１３を介して（マニュアルで）、文字列データが入力された場合に、これら文字列データをファイル番号に対応させて文字列データ記憶部１７２に記憶するものである。
【００３９】
画像表示部１５２は、プリント処理を行う際の各種指示を促す入力画面（図３〜図８参照）や取り込んだ画像をモニタ１２上に表示するものである。
【００４０】
画像選択部１５３は、モニタ１２に複数種類のテンプレート画像（又はそのサムネイル画像）を表示し、操作部１３を介して１つのテンプレート画像を選択する選択指示を受け付けさせ、選択されたテンプレート画像の画像データ及び対応する合成領域情報をテンプレート画像記憶部１６１からモニタ１２及び画像加工部１５５へ読み出すと共に、編集画像記憶部１７３に記憶するものである。画像選択部１５３は、テンプレート画像に商品画像を合成するための合成実行指示が操作部１２を介して入力されると、ファイル番号の順番で商品画像データ及び対応する文字列データを画像データ記憶部１７１及び文字列データ記憶部１７２から読み出すものである。
【００４１】
属性設定部１５４は、テンプレート画像の各サブ文字列合成領域に対する商品名、価格等の商品の属性情報の割り当てが操作部１３を介して入力指示されることを受けて、これらの属性情報とサブ文字列合成領域の合成領域情報との対応付けを行なうものである。
【００４２】
画像加工部１５５は、テンプレート画像の画像合成領域及び文字列合成領域のサイズと商品画像データ及び文字列データのサイズとをそれぞれ一致させるべく、両者の画像の画像データ（画像合成領域と対応する商品画像データの両方、あるいは文字列合成領域と対応する文字列データの両方）に対して、あるいは商品画像データまたは文字列データに対してサイズ変更分に伴う拡大あるいは縮小処理を施すものである。なお、商品画像データ及び文字列データをそのまま画像合成領域及び文字列合成領域にそれぞれ重ね合わせるようにしてもよく、この場合には、サイズ変更のための画像加工処理は必要ではなくなり、両者のサイズ情報を用いて、商品画像データまたは文字列データの中央部分が自動的に画像合成領域または文字列合成領域の中央に一致するように位置設定処理を行えばよい。
【００４３】
画像合成部（設定手段、画像合成手段に相当する）１５６は、テンプレート画像の画像合成領域及び関連付けされた文字列合成領域に、対応付けされた商品画像データ及び文字列データをそれぞれ重ねて画像の合成を行うものである。具体的には、画像合成部１５６は、例えば、ファイル番号「１」の商品画像データ及び文字列データを合成領域番号「１」の画像合成領域及び関連付けられた文字列合成領域に合成するものである。このとき、画像合成部１５６は、編集画像記憶部１７３に記憶される各サブ文字列合成領域の合成領域情報に対応付けられた商品の属性情報に基づき、対応する文字列データを文字列データ記憶部１７２に記憶される文字列データから特定し、文字列データをサブ文字列合成領域に合成するものである。
【００４４】
プリント制御部１５７は、画像合成部１５６によって合成された合成画像データ及び操作部１３を介して入力されたプリントサイズ及びプリント部数等のプリント条件でのプリント処理を指示するプリント指示信号を通信部１４を介してデジタルプリンタ２に出力するものである。なお、プリント制御部１５７は受付装置１側ではなくデジタルプリンタ２側に設けてもよい。
【００４５】
次に、図３乃至図８を用いてメニュー用の合成画像を作成する際にモニタ１２に表示される画面図について説明する。図３は、モニタ１２に表示されるオーダ画面Ｇ１の一例を示す図で、各種操作キーが設定されている。オーダ画面Ｇ１には、プリントサイズ及びプリント部数等のプリント条件を入力するためのプリント条件入力部２０１と、はがき、カレンダー、メニュー等各種作成モードの中から所望のモードを選択するためのモード選択キー２０２、各種メディアの中からメディアを選択するためのメディア選択キー２０３と、設定内容を確定するスタートキー２０４が含まれている。
【００４６】
図４は、オーダ画面Ｇ１のスタートキー２０４が選択されることによってモニタ１２に表示されるテンプレート設定画面Ｇ２の一例を示す画面図である。テンプレート設定画面Ｇ２には、画面上部にＲＯＭ１６及びＲＡＭ１７に記憶される複数のフォルダのフォルダ名を含む一覧表示画面（図示省略）を表示するための選択キー２１１及び一覧表示画面において選択されたフォルダ名を表記するフォルダ名表記部２１２が表示される。画面中央部には一覧表示画面で選択されたフォルダに保存されているテンプレート画像Ｔ１〜Ｔ５の縮小画像を含むテンプレート閲覧部２１３が表示されている。画面下部には、テンプレート画像の画像合成領域及び文字列合成領域の大きさ、位置等のテンプレート情報を変更するテンプレート編集画面に移行するためのテンプレート画像編集キー２１４と、テンプレート画像Ｔ１〜Ｔ５の選択を確定するためのＯＫキー２１５と、テンプレート画像Ｔ１〜Ｔ５の選択を解除するためのキャンセルキー２１６とが表示されている。
【００４７】
操作部１３によってテンプレート画像Ｔ１〜Ｔ５の１つがクリックされると、当該テンプレート画像は選択されたことを示すべく表示形態、例えば外枠が太字に変更される。この状態でＯＫキー２１５が押下されると、テンプレート画像の選択が確定し、キャンセルキー２１６が押下されると、テンプレート画像Ｔ１〜Ｔ５の選択が解除される。
【００４８】
図５は、テンプレート設定画面Ｇ２のテンプレート画像編集キー２１４が選択されることによってモニタ１２に表示されるテンプレート編集画面Ｇ３の一例を示す図である。テンプレート編集画面Ｇ３には、画面中央部にテンプレート設定画面Ｇ２で選択された、例えばテンプレート画像Ｔ２を含むテンプレート画像閲覧部２２１が表示され、画面上部左側に、テンプレート画像Ｔ２の新たな画像合成領域の作成又は画像合成領域Ｐ１，Ｐ２，Ｐ３の移動等の画像編集を行うための画像合成領域編集部２２２が表示され、画面上部右側に、テンプレート画像Ｔ２の新たな文字列合成領域の作成、文字列合成領域Ｌ１，Ｌ２，Ｌ３に挿入される文字のフォント、フォントサイズ等、文字の属性を画像合成前に予め設定するための文字列合成領域編集部２２３と、サブ文字列合成領域Ｌ１１〜Ｌ１３、Ｌ２１〜Ｌ２３、Ｌ３１〜Ｌ３３毎に商品の属性情報を設定するための属性設定部２２４とが表示されている。
【００４９】
画面下部には、「次へ」キー２２５と、「戻る」キー２２６とが表示されている。「次へ」キー２２５は、編集後のテンプレート画像Ｔ２の画像データ及びテンプレート情報を編集画像記憶部１７３に記憶し、モニタ１２の表示画面をテンプレート設定画面Ｇ２に戻す指示を与えるものである。「戻る」キー２２６は、編集後のテンプレート画像Ｔ２の画像データ及びテンプレート情報を編集画像記憶部１７３に記憶せずに、モニタ１２の表示画面をテンプレート設定画面Ｇ２に戻す指示を与えるものである。
【００５０】
操作部１３によりテンプレート画像Ｔ２のサブ文字列合成領域Ｌ１１〜Ｌ１３、Ｌ２１〜Ｌ２３、Ｌ３１〜Ｌ３３の１つがクリックされると、サブ文字列合成領域は選択されたことを示すべく表示形態、例えば外枠が太線に変更される。この状態で属性設定部２２４の右端部がクリックされると、商品の属性情報、例えば「名前」，「価格」，「情報１」，「情報２」，「情報３」，「属性無し」を含む一覧表示画面が表示され、これらの属性情報の中から１つの属性情報が選択されると、サブ文字列合成領域内に選択された属性情報が表記される。
【００５１】
図６は、テンプレート設定画面Ｇ２のＯＫキー２１５が選択された場合に、モニタ１２に表示される情報ファイル編集画面Ｇ４の一例を示す図である。情報ファイル編集画面Ｇ４には、画面上部にＲＯＭ１６及びＲＡＭ１７に記憶されている複数のファイルの中から所望のファイルを選択するファイル選択画面（図示省略）に移行するための選択キー２３１及びファイル選択画面から選択されたファイル名を表記するファイル名表記部２３２が表示され、画面中央部にファイル選択画面において選択された情報ファイルのデータを含む情報ファイル閲覧部２３３が表示される。情報ファイル閲覧部２３３には、画像データ記憶部１７１に記憶されている各商品画像データをファイル番号として表示し、かつ、それに対応するファイル名、商品名及び価格等の各商品の属性に関する文字列データが同一行に表示される。
【００５２】
画面下部には、ファイル名情報及び文字列データを新たに入力するための新規入力画面に移行するための新規入力キー２３４と、ファイル番号、ファイル名及び文字列データを変更するための変更キー２３５と、ファイル単位でファイル情報を削除するための削除キー２３６と、テンプレート画像への商品画像及び文字列画像の画像合成処理を指示するための「次へ」キー２３７と、一連の画像編集処理をキャンセルし、モニタ１２の表示画面をオーダ画面Ｇ１に戻すためのEDIT中断キー２３８とが表示される。
【００５３】
操作部１３によって情報ファイル閲覧部２３３の所望の行がクリックされると、当該行が選択されたことを示すべく表示形態、例えば外枠が太線に変更される。更に変更キーがクリックされると当該行への書き込みが可能な状態となり、ファイル名情報及び文字列データの操作部１３による変更が可能となる。なお、情報ファイル閲覧部２３３の先頭列のファイル番号は、合成順序に対応しており、合成順序の変更は操作部１４によるデータの入れ替えで対応するようにしている。あるいはファイル番号の項目列に追加して合成順序を指示するための項目列を付加する態様も可能である。また、選択された行に対して削除キー２５６がクリックされると、当該行は削除され、情報が消去される。
【００５４】
図７は、情報ファイル編集画面Ｇ４における新規入力キー２３４が選択されることによってモニタ１２に表示される新規入力画面の一例を示す図である。新規入力画面Ｇ５には、ファイル名を入力するための画像ファイル名入力枠２４１と、商品の属性情報毎に文字列データを入力するための文字列データ入力枠２４２〜２４６と、画像ファイル名入力枠２４１及び文字列データ入力枠２４２〜２４６それぞれに入力されたファイル名情報及び文字列データを確定するためのＯＫキー２４７と、ファイル名及び文字列データの入力をキャンセルし、情報ファイル編集画面Ｇ４に戻るためのキャンセルキー２４８とが表示される。新規入力画面Ｇ５で文字列データが入力されるのは、注文時に注文者から受け取ったメディアに商品画像データのみが記憶されており、文字列データが記憶されていない場合に商品画像データに関する文字列データを新規入力する場合や注文者から受け取ったメディアに文字列データが記録されている場合でも新たな文字列データを追加、変更する場合である。
【００５５】
図８は、情報ファイル編集画面Ｇ４の「次へ」キー２３７が選択された際に、モニタ１２に表示される合成画像表示画面Ｇ６の一例を示す図である。合成画像表示画面Ｇ６には，その中央部にテンプレート画像Ｔ２の画像データの画像合成領域Ｐ１〜Ｐ３及び文字列合成領域Ｌ１〜Ｌ３に商品画像データＦ１〜Ｆ３及び文字列データＩ１〜Ｉ９が合成された合成画像データを表示する合成画像表示部２５０と、文字列合成領域Ｌ１〜Ｌ３に合成された文字列データＩ１〜Ｉ９の変更、フォントサイズ、色の変更等の編集作業を行うための第１編集部２５１と、画像合成領域Ｐ１〜Ｐ３に合成された商品画像データを他の商品画像データへ変更したり、文字列合成領域を新たに設定する等の合成画像データに新しい情報を追加するための第２編集部２５２と、合成画像表示部２５０に表示される合成画像データを次のページの合成画像データへ切り替えるための「次へ」キー２５３と、モニタ１２の表示画面を一つ前の情報ファイル編集画面Ｇ４に切り替えるための「戻る」キー２５４と、現時点までの一連の画像編集処理をキャンセルするためのEDIT終了キー２５５が表示される。最終ページのメニュー画像データが合成画像表示部２５０に表示された場合、「次へ」キー２５３の代わりにメニュー画像データのプリント指示を入力するためのプリントキーが表示される。
【００５６】
図９及び図１０は、受付装置によるメニュー画像の合成処理を説明するためのフローチャートである。まず、デジタルプリンタ２によるプリント処理の実行条件を入力可能なオーダ画面Ｇ１がモニタ１２に表示される（ステップＳ１）。オーダ画面Ｇ１において画像データのプリントサイズ及びプリント部数等のプリント条件や画像取込対象のメディアの設定が行なわれ（ステップＳ３）、カレンダー、メニュー等各種作成モードの中からメニュー作成モードの設定が行なわれる（ステップＳ５）。
【００５７】
次いで、オーダ画面Ｇ１においてスタートキー２０４が押下されたか否かが判断され（ステップＳ７）、スタートキー２０４が押下された場合は（ステップＳ７でＹｅｓ）、モニタ１２にテンプレート設定画面Ｇ２が表示される（ステップＳ９）。そして、ステップＳ３で設定されたメディアが画像データ取込部１０に装填されているか否かが判断され（ステップＳ１１）、設定されたメディアが装填されている場合は（ステップＳ１１でＹｅｓ）、画像データ取込部１０によってメディアに記憶される画像ファイル及び情報ファイルが取り込まれ（ステップＳ１３）、受付処理部１５１によって画像ファイルが画像データ記憶部１７１に記憶され、情報ファイルが文字列データ記憶部１７２に記憶される。
【００５８】
テンプレート設定画面Ｇ２において、テンプレート画像を格納するテンプレートフォルダを選択する選択指示が入力されたか否かが判断され（ステップＳ１５）、テンプレートフォルダの選択指示が入力された場合（ステップＳ１５でＹｅｓ）、テンプレートフォルダに保存される複数のテンプレート画像がテンプレート閲覧部２１３に表示される（ステップＳ１７）。
【００５９】
さらに、テンプレート設定画面Ｇ２の表示画像から１つのテンプレート画像が選択された状態でテンプレート画像編集キー２１４が押下されたか否かによってテンプレート画像の編集指示の有無が判断される（ステップＳ１９）。テンプレート画像の編集指示が操作部１３を介して入力された場合は（ステップＳ１９でＹｅｓ）、画像選択部１５３によって選択されたテンプレート画像の画像データ及び対応する合成領域情報がテンプレート画像記憶部１６１から読み出され、当該テンプレート画像を含むテンプレート編集画面Ｇ３がモニタ１２に表示されると共に、選択されたテンプレート画像の画像データ及び対応する合成領域情報が編集画像記憶部１７３に記憶される（ステップＳ２１）。
【００６０】
テンプレート編集画面Ｇ３において、テンプレート画像Ｔ２のサブ文字列合成領域毎に商品の属性情報が設定されたか否かが判断され（ステップＳ２３）、各サブ文字列合成領域に商品の属性情報が設定された場合は（ステップＳ２３でＹｅｓ）、属性設定部１５４によって、設定された商品の属性情報が編集画像記憶部１７３に記憶されるサブ文字列合成領域の合成領域情報に関連付けて記憶されると共に、サブ文字列合成領域内に設定された商品の属性情報が表示される（ステップＳ２５）。そして、「次へ」キー２２５の押下によってモニタ１２の表示画面がテンプレート設定画面Ｇ２に切り替わり、更にテンプレート設定画面Ｇ２におけるＯＫキー２１５がクリックされると、モニタ１２の表示画面が情報ファイル編集画面Ｇ４に切り替わる（ステップＳ２７）。
【００６１】
次いで、情報ファイル編集画面Ｇ４において、情報ファイルの選択指示が入力されたか否かが判断され（ステップＳ２９）、情報ファイルの選択指示が入力された場合（ステップＳ２９でＹｅｓ）、ファイル番号、ファイル名及び文字列データがモニタ１２に表示され（ステップＳ３１）、情報ファイルの選択指示の入力がない場合（ステップＳ２９でＮｏ）、ステップＳ３３に処理を進める。
【００６２】
また、新規入力画面Ｇ５において文字列データ等の入力による情報ファイルの作成指示が入力されたか否かが判断され（ステップＳ３３）、情報ファイルの作成指示の入力があった場合（ステップＳ３３でＹｅｓ）、受付処理部１５１によってファイル番号情報、ファイル名情報及び文字列データが文字列データ記憶部１７２に記憶されると共にモニタ１２に表示される（ステップＳ３５）。一方、情報ファイルの作成指示の入力が無い場合（ステップＳ３３でＮｏ）、ステップＳ３７に進む。
【００６３】
さらに、情報ファイル編集画面Ｇ４において各画像ファイルに対する情報の追加、変更又は削除等のファイルの編集指示が入力されたか否かが判断され（ステップＳ３７）、情報ファイルの編集指示が入力された場合（ステップＳ３７でＹｅｓ）、編集後の情報ファイルによって文字列データ記憶部１７２に記憶されている情報ファイルが更新され、更新後の情報ファイルのデータがモニタ１２に表示される（ステップＳ３９）。
【００６４】
ステップＳ４１では、情報ファイル編集画面Ｇ４において「次へ」キー２３５が押下されたか否かによって画像の合成指示の有無が判断され、画像の合成指示がない場合（ステップＳ４１でＮｏ）、ステップＳ２９に戻り、画像の合成指示があった場合（ステップＳ４１でＹｅｓ）、画像加工部１５５によって、必要に応じて商品画像及び文字列のサイズの拡大・縮小処理等の画像処理が行なわれた後、画像合成部１５５によって、テンプレート画像の画像合成領域Ｐ及び関連付けされた文字列合成領域Ｌへ、対応付けされた商品画像及び文字列の重ね合わせが行なわれ、画像合成処理が行なわれる（ステップＳ４３）。
【００６５】
テンプレート画像Ｔ２の１枚分の画像合成処理が終了したか否かが判断され（ステップ４５）、テンプレート画像Ｔ２の１枚分の画像合成処理が終了すると（ステップＳ４５でＹｅｓ）、合成終了後のメニュー画像データが編集画像記憶部１７３に記憶されると共にモニタ１２に表示される（ステップＳ４７）。さらに、画像データ記憶部１７１及び文字列データ記憶部１７２に記憶されている全ての商品画像データ及び文字列データについて画像合成処理が終了したか否かが判断され（ステップＳ４９）、全ての商品画像データ及び文字列データについて画像合成処理が終了していない場合（ステップＳ４９でＮｏ）、ステップＳ４３に戻り、画像合成処理が終了するまで（ステップＳ４９でＹｅｓ）、ステップＳ４３〜４７の処理を繰り返す。
【００６６】
全ての商品画像データ及び文字列データについて画像合成処理が終了した場合（ステップＳ４９でＹｅｓ）、さらに，プリントキーのクリックによってプリント指示が入力されたか否かが判断され（ステップＳ５１）、プリント指示が入力された場合（ステップＳ５１でＹｅｓ）、プリント制御部１５７によってメニュー画像データ及びプリント部数分のメニュー画像データのプリント処理を指示するプリント指示信号がデジタルプリンタ２に出力される（ステップＳ５３）。
【００６７】
図１１は、受付装置１からメニュー画像データ及びプリント指示信号が出力された際のデジタルプリンタ２による処理を説明するためのフローチャートである。
【００６８】
デジタルプリンタ２では、メニュー画像データのプリント指示が受付装置１から入力されたか否かが判断され（ステップＳ６１）、プリント指示が入力された場合（ステップＳ６１でＹｅｓ）、続いてメニュー画像データが入力される（ステップＳ６３）。そして、メニュー画像データのプリント処理が行なわれ（ステップＳ６５）、図１２に示すようなプリントされたメニューＭが１部ずつソータ２６の各排出部に排出され、プリント部数分のプリントが終了した場合（ステップＳ６７でＹｅｓ）、処理を終了する。
【００６９】
本実施形態によれば、ユーザから受け取ったメディアに記憶される商品画像データ及び対応付けられた文字列データが読み取られ、テンプレート画像の画像合成領域及び関連付けられた文字合成領域に自動的に合成されるため、商品画像データに対応する文字列データの入力等の煩雑な操作が不要となり、メニューを容易に作成できる。また、ファイル番号の順番で商品画像データ及び対応付けられた文字列データがテンプレート画像の画像合成領域及び関連付けられた文字列合成領域に自動的に合成されるため、商品画像データ及び文字列データのテンプレート画像への合成位置の設定操作が不要となり、作業性が向上する。また、各サブ文字合成領域には、予め設定された商品の属性情報に対応する文字列データが自動的に合成されるため、より一層の作業の効率化が図られる。
【００７０】
また、テンプレート画像への画像合成処理が短時間で行なわれるため、注文者がラボ店を訪れた際、注文時間から少ない待ち時間でメニュー画像のプリントイメージデータを見て、出来上がり状態を確認することができるため、メニュー画像の再編集等によって注文者の要望に応じたメニューの作成が可能となる。
【００７１】
なお、本実施形態においては、受付装置１は、商品画像データを格納する画像ファイル及び文字列データを格納する情報ファイルをメディアから読み取り、テンプレート画像に商品画像及び文字列画像を合成しているが、これに限定されず、インターネット上のサーバを介して一般顧客の端末装置からメニューを作成するためのプリント注文及び画像ファイル及び情報ファイルを受信し、メニュー用の合成画像を作成するようにしてもよい。
【図面の簡単な説明】
【００７２】
【図１】本発明に係る写真処理装置の外観斜視図の一例である。
【図２】受付装置の構成を示すブロック図である。
【図３】オーダ画面の一例を示す画面図である。
【図４】テンプレート設定画面の一例を示す画面図である。
【図５】テンプレート編集画面の一例を示す画面図である。
【図６】情報ファイル編集画面の一例を示す画面図である。
【図７】新規入力画面の一例を示す画面図である。
【図８】合成画像編集画面の一例を示す画面図である。
【図９】受付装置によるメニュー画像の合成処理を説明するためのフローチャートである。
【図１０】受付装置によるメニュー画像の合成処理を説明するためのフローチャートである。
【図１１】デジタルプリンタによるメニュー画像のプリント処理を説明するためのフローチャートである。
【図１２】プリント装置によってプリント出力されたメニューを示す図である。
【符号の説明】
【００７３】
１  受付装置
２  デジタルプリンタ
１０  画像データ取込部
１１  フィルムスキャナ
１２  モニタ
１３  操作部
１４  通信部
１５  データ処理部
１５０  モード設定部
１５１  受付処理部
１５２  画像表示部
１５３  画像選択部
１５４  属性設定部
１５５  画像加工部
１５６  画像合成部
１５７  プリント制御部
１６  ＲＯＭ
１６１  テンプレート画像記憶部
１７  ＲＡＭ
１７１  画像データ記憶部
１７２  文字列データ記憶部
１７３  編集画像記憶部
【図１】
2006020077.tif 000003
【図２】
2006020077.tif 000004
【図３】
2006020077.tif 000005
【図４】
2006020077.tif 000006
【図５】
2006020077.tif 000007
【図６】
2006020077.tif 000008
【図７】
2006020077.tif 000009
【図８】
2006020077.tif 000010
【図９】
2006020077.tif 000011
【図１０】
2006020077.tif 000012
【図１１】
2006020077.tif 000013
【図１２】
2006020077.tif 000014